(57)【要約】【課題】省スペース化が可能なクロノグラフ機構を提供する。【解決手段】クロノグラフ表示部の針に連結されたハートカム２０と、回動によりハートカム２０を躍制および躍制解除する復針ハンマー２５と、復針ハンマー２５を回動する複数のアーム３３を備えた復針レバー３０と、を有し、復針レバー３０は、ハートカム２０を躍制する時と、ハートカム２０を躍制解除する時で、異なるアーム３３が復針ハンマー２５を回動する。復針レバー３０の回動軸３１は、複数のハートカム２０Ａ，２０Ｂ，２０Ｃの回転軸２１Ａ，２１Ｂ，２１Ｃから等距離の位置にある。【選択図】図３
2015172560.tif 000002
【特許請求の範囲】
【請求項１】
クロノグラフ表示部の針に連結されたハートカムと、
回動により前記ハートカムを躍制および躍制解除する復針ハンマーと、
前記復針ハンマーを回動する複数のアームを備えた復針レバーと、を有し、
前記復針レバーは、前記ハートカムを躍制する時と、前記ハートカムを躍制解除する時で、異なる前記アームが前記復針ハンマーを回動する、
クロノグラフ機構。
【請求項２】
請求項１に記載のクロノグラフ機構であって、
複数の前記クロノグラフ表示部に対応して、複数の前記ハートカムおよび複数の前記復針ハンマーを備え、
前記復針レバーの回動軸は、前記複数のハートカムの回転軸から等距離の位置にある、
クロノグラフ機構。
【請求項３】
請求項１または請求項２に記載のクロノグラフ機構であって、
複数の前記クロノグラフ表示部に対応して、複数の前記ハートカムおよび複数の前記復針ハンマーを備え、
前記復針レバーは、前記複数の復針ハンマーを同時に回動し、
前記複数のアームは、弾性変形可能に形成されている、
クロノグラフ機構。
【請求項４】
請求項１ないし請求項３のいずれか１項に記載のクロノグラフ機構であって、
複数の前記クロノグラフ表示部に対応して、複数の前記ハートカムおよび複数の前記復針ハンマーを備え、
前記アームは、基端部と先端部との間に屈曲部を備え、
前記アームの前記先端部および前記屈曲部は、相互に異なる前記復針ハンマーを回動する、
クロノグラフ機構。
【請求項５】
請求項１ないし請求項４のいずれか１項に記載のクロノグラフ機構であって、
前記復針ハンマーは、前記ハートカムを打撃する打撃部と、前記復針レバーの前記アームに当接する当接部とが、回動軸を挟んで配置されている、
クロノグラフ機構。
【請求項６】
請求項１ないし請求項５のいずれか１項に記載のクロノグラフ機構を備えたムーブメント。
【請求項７】
請求項６に記載のムーブメントを備えた時計。
【発明の詳細な説明】
【技術分野】
【０００１】
本発明は、クロノグラフ機構、ムーブメントおよび時計に関するものである。
【背景技術】
【０００２】
クロノグラフ（以下「ＣＧ」と言う場合がある。）を帰零（リセット）するための技術として、ハンマー等でハートカムを躍制する技術が採用されている。特許文献１発明では、１個のハンマーを回動させて、秒ＣＧ用および分ＣＧ用の２個のハートカムを躍制している。特許文献２発明では、１個のハンマーをスライドさせて、秒ＣＧ用、分ＣＧ用および時ＣＧ用の３個のハートカムを躍制している。
【先行技術文献】
【特許文献】
【０００３】
【特許文献１】特開２００４−２６４０３６号公報
【特許文献２】特許第４２９６０１９号公報
【発明の概要】
【発明が解決しようとする課題】
【０００４】
ＣＧの計測時にはハートカムが回転するので、ＣＧの計測開始前にはハンマーを移動させてハートカムの躍制を解除する。その際、回転するハートカムとハンマーとが干渉しないように、ハンマーを大きく移動させる必要がある。特許文献１および２発明では、ハンマーの移動スペースが大きくなり、クロノグラフ機構の省スペース化に限界がある。
本発明は、省スペース化が可能なクロノグラフ機構、ムーブメントおよび時計を提供することを目的とする。
【課題を解決するための手段】
【０００５】
前記課題を解決するため、本発明のクロノグラフ機構は、クロノグラフ表示部の針に連結されたハートカムと、回動により前記ハートカムを躍制および躍制解除する復針ハンマーと、前記復針ハンマーを回動する複数のアームを備えた復針レバーと、を有し、前記復針レバーは、前記ハートカムを躍制する時と、前記ハートカムを躍制解除する時で、異なる前記アームが前記復針ハンマーを回動する、ことを特徴とする。
この構成によれば、復針ハンマーとは別に復針レバーを備え、復針レバーの異なるアームが復針ハンマーを回動して、ハートカムを躍制および躍制解除する。そのため、１個の可動部材（ハンマー）のみでハートカムを躍制および躍制解除する場合と比べて、可動部材（復針ハンマーおよび復針レバー）の移動スペースが小さくなる。したがって、クロノグラフ機構の省スペース化を実現できる。
【０００６】
また、複数の前記クロノグラフ表示部に対応して、複数の前記ハートカムおよび複数の前記復針ハンマーを備え、前記復針レバーの回動軸は、前記複数のハートカムの回転軸から等距離の位置にある、構成としてもよい。
この構成によれば、可動部材の移動スペースがさらに小さくなり、クロノグラフ機構のさらなる省スペース化を実現できる。また、複数の復針ハンマーの共通化が可能になり、製造コストを抑制できる。
【０００７】
また、複数の前記クロノグラフ表示部に対応して、複数の前記ハートカムおよび複数の前記復針ハンマーを備え、前記復針レバーは、前記複数の復針ハンマーを同時に回動し、前記複数のアームは、弾性変形可能に形成されている、構成としてもよい。
特許文献１発明では、１個のハンマーで複数のハートカムを躍制するので、製造ばらつきにより各ハートカムの躍制位置がずれることがある。この場合、第１のハートカムが躍制されても、他のハートカムは完全に躍制されない状態になる。そのため、製造ばらつきに起因する各ハートカムの躍制位置の調整が必要になる。
これに対して、複数の復針ハンマーを同時に回動する復針レバーの複数のアームが、弾性変形可能に形成されている構成とした。この構成によれば、製造ばらつきにより第１のハートカムが先に躍制されても、第１のハートカムを躍制する第１のアームが弾性変形することで、他のアームにより他のハートカムを確実に躍制できる。したがって、製造ばらつきに起因する躍制位置の調整が不要になり、自動組み立てが可能になる。
【０００８】
また、複数の前記クロノグラフ表示部に対応して、複数の前記ハートカムおよび複数の前記復針ハンマーを備え、前記アームは、基端部と先端部との間に屈曲部を備え、前記アームの前記先端部および前記屈曲部は、相互に異なる前記復針ハンマーを回動する、構成としてもよい。
この構成によれば、アームの先端部および屈曲部が、それぞれに近接配置された復針ハンマーを回動する。したがって、可動部材の移動スペースがさらに小さくなり、クロノグラフ機構のさらなる省スペース化を実現できる。
【０００９】
また、前記復針ハンマーは、前記ハートカムを打撃する打撃部と、前記復針レバーの前記アームに当接する当接部とが、回動軸を挟んで配置されている、構成としてもよい。
この構成によれば、復針ハンマーの回動軸の一方側のみに打撃部および当接部が配置されている場合と比べて、可動部材の移動スペースが小さくなる。したがって、クロノグラフ機構のさらなる省スペース化を実現できる。
【００１０】
一方、本発明のムーブメントは、前述したクロノグラフ機構を備えることを特徴とする。
この構成によれば、前述した省スペース化が可能なクロノグラフ機構を備えるので、小型のムーブメントを提供できる。
【００１１】
一方、本発明の時計は、前述したムーブメントを備えることを特徴とする。
この構成によれば、前述した省スペース化が可能なクロノグラフ機構を備えるので、小型の時計を提供できる。
【発明の効果】
【００１２】
本発明によれば、復針ハンマーとは別に復針レバーを備え、復針レバーの異なるアームが復針ハンマーを回動して、ハートカムを躍制および躍制解除する。そのため、１個の可動部材（ハンマー）のみでハートカムを躍制および躍制解除する場合と比べて、可動部材（復針ハンマーおよび復針レバー）の移動スペースが小さくなる。したがって、クロノグラフ機構の省スペース化を実現できる。
【図面の簡単な説明】
【００１３】
【図１】実施形態に係る時計の外観図である。
【図２】実施形態に係るクロノグラフ機構の平面図である。
【図３】復針レバー周辺の拡大図である。
【図４】実施形態に係るクロノグラフ機構の動作説明図である。
【図５】実施形態に係るクロノグラフ機構の動作説明図である。
【図６】実施形態に係るクロノグラフ機構の動作説明図である。
【図７】実施形態に係るクロノグラフ機構の動作説明図である。
【図８】実施形態に係るクロノグラフ機構の動作説明図である。
【発明を実施するための形態】
【００１４】
以下、本発明の実施形態につき、図面を参照して説明する。
一般に、時計の駆動部分を含む機械体を「ムーブメント」と称する。このムーブメントに文字板、指針を取り付けて、ガラスおよび裏蓋を含むケースの中に入れて完成品にした状態を時計の「コンプリート」と称する。なお、ムーブメントの基板を構成する地板に対して、ケースのガラス側をムーブメントの「裏側」と称し、ケースの裏蓋側をムーブメントの「表側」と称する。
【００１５】
（時計、ムーブメント）
図１は実施形態に係る時計の外観図である。
図１に示すように、本実施形態の時計１のコンプリートは、ケース２内に、少なくともムーブメント３と、針４と、文字板５とを封入したものである。ケース２は、ガラス２ａおよび裏蓋（不図示）を備えている。ムーブメント３は、クォーツ式や機械式などの方式で時計を駆動する時計機構（不図示）と、次述するクロノグラフ（ＣＧ）機構１０とを備えている。針４は、時針および分針を備え、文字板５の中央に配置されている。文字板５は、時間を表示する目盛り等を備えている。文字板５の６時の方向には、小秒針を備えた秒表示部６が設けられている。ケース２の外側における３時の方向には、りゅうず８が設けられている。
【００１６】
（クロノグラフ機構の概要）
ムーブメント３は、時間計測（ストップウォッチ）機能を有するＣＧ機構１０を備えている。ＣＧ機構１０は、計測した時間をＣＧ針１２で表示するＣＧ表示部１１を備えている。本実施形態のＣＧ機構１０は、秒を表示する秒ＣＧ針１２Ａを備えた秒ＣＧ表示部１１Ａと、分を表示する分ＣＧ針１２Ｂを備えた分ＣＧ表示部１１Ｂと、時を表示する時ＣＧ針１２Ｃを備えた時ＣＧ表示部１１Ｃとを有している。秒ＣＧ表示部１１Ａは文字板５の中央に配置され、分ＣＧ表示部１１Ｂは文字板５の１２時の方向に配置され、時ＣＧ表示部１１Ｃは文字板５の９時の方向に配置されている。
【００１７】
ＣＧ機構１０は、時間計測を開始および停止する発停ボタン１６と、ＣＧ針１２を帰零（リセット）するリセットボタン１８とを備えている。発停ボタン１６は、ケース２の外側における２時の方向に配置されている。リセットボタン１８は、ケース２の外側における４時の方向に配置されている。
【００１８】
ＣＧ機構１０は、以下のように時間計測を開始および停止する。時間計測の開始時に発停ボタン１６を押すと、ピラーホイール（不図示）が一歯分だけ回転するとともに、時計機構からＣＧ機構１０への動力伝達が開始され、ＣＧ機構１０が時間計測を開始する。また、時間計測の停止時に発停ボタン１６を押すと、ピラーホイールが一歯分だけ回転するとともに、時計機構からＣＧ機構１０への動力伝達が遮断され、ＣＧ機構１０が時間計測を停止する。なお、時間計測中はピラーホイールに規制されてリセットボタン１８が押圧不能になり、計測停止後はピラーホイールによる規制が解除されてリセットボタン１８が押圧可能になる。
【００１９】
図２は、実施形態に係るクロノグラフ機構の平面図である。なお図２〜図８は、ムーブメントを表側から見た図であり、１２時の方向を紙面の右側に配置している。すなわち、紙面の上側が３時の方向であり、紙面の下側が９時の方向である。図２〜図８では、紙面上において時計中心の左回り方向をＲ１方向とし、右回り方向をＲ２方向としている。また、時計中心の方向をＤ１方向とし、時計中心とは反対の方向をＤ２方向としている。図２〜図８では、理解を容易にするため、重要性が低い部品の記載を省略するとともに、重要性が高い部品に網掛けを施している。
【００２０】
図２に示すように、ＣＧ機構１０はハートカム２０を備えている。ハートカム２０は、回転軸２１を介してＣＧ針１２（図１参照）に連結されている。図２に示すハートカム２０は、カム面２４および躍制面２３を備えている。ハンマーがハートカム２０のカム面２４を打撃すると、ハートカム２０が回転し、躍制面２３においてハンマーと当接した状態で静止する。これによりハートカム２０が躍制される。
【００２１】
時間計測の開始時に発停ボタン１６を押すと、ハートカム２０の躍制が解除され、ハートカム２０がＣＧ針とともに回転する。一方、時間計測の停止後にリセットボタン１８を押すと、ハートカム２０が躍制され、ＣＧ針が帰零される。これらを実現する本実施形態のＣＧ機構１０の構成について、以下に説明する。
【００２２】
（クロノグラフ機構の構成）
図２に示すように、ＣＧ機構１０は、リセットボタン１８に押圧されて回動するリセットスイッチ８０と、リセットスイッチ８０に押圧されて回動するリセットレバー７０と、を備えている。またＣＧ機構１０は、発停ボタン１６に押圧されて回動する発停スイッチ６０と、発停スイッチ６０に押圧されて回動する発停レバー５０と、を備えている。さらにＣＧ機構１０は、リセットレバー７０および発停レバー５０に押圧されて回動する伝達レバー４０を備えている。これらの各部材は、地板９の表側に配置されている。
【００２３】
図７に示すように、ＣＧ機構１０は、リセットボタン１８に押圧されて回動するリセットスイッチ８０を備えている。
リセットスイッチ８０は、Ｒ１側端部に回動軸８１を備え、Ｒ２側端部に押圧板８２を備えている。リセットスイッチ８０のＤ２側には板バネ８４が配置されている。板バネのＲ１側端部は地板等に連結され、Ｒ２側端部はリセットスイッチ８０の押圧板８２に固着されている。これにより板バネ８４は、リセットスイッチ８０を所定位置に保持している。
【００２４】
ＣＧ機構１０は、リセットスイッチ８０に押圧されて回動するリセットレバー７０を備えている。リセットレバー７０は、リセットスイッチ８０のＤ１側に配置されている。
リセットレバー７０は、ムーブメント３の外周に沿って長尺に形成され、中央に回動軸７１を備えている。回動軸７１のＲ１側には、リセットスイッチ８０の押圧板８２に当接する凸部７２が形成されている。リセットレバー７０のＲ１側端部にはＵ字バネ７３が配置されている。Ｕ字バネ７３のＤ２側端部はリセットレバー７０に連結され、Ｕ字バネ７３のＤ１側端部は、地板等に連結されたピン７４のＤ２側に当接している。これによりＵ字バネ７３は、リセットレバー７０を回動軸７１の右回りに付勢している。リセットレバー７０のＲ２側端部には、伝達レバー４０を駆動するフォーク部７９が形成されている。
【００２５】
図４に示すように、ＣＧ機構１０は、発停ボタン１６に押圧されて回動する発停スイッチ６０を備えている。
発停スイッチ６０は、Ｒ２側端部に回動軸６１を備え、Ｒ１側端部に押圧板６２を備えている。発停スイッチ６０のＤ２側には板バネ６４が配置されている。板バネ６４のＲ２側端部は地板等に連結され、Ｒ１側端部は発停スイッチ６０の押圧板６２に固着されている。これにより板バネ６４は、発停スイッチ６０を所定位置に保持している。
【００２６】
ＣＧ機構１０は、発停スイッチ６０に押圧されて回動する発停レバー５０を備えている。発停レバー５０は、発停スイッチ６０のＤ１側に配置されている。
発停レバー５０は、Ｒ１側端部に回動軸５１を備えている。なお発停レバー５０の回動軸５１は、前述したリセットレバー７０の回動軸７１に一致している。回動軸５１のＲ２側には、発停スイッチ６０の押圧板６２に当接する凸部５２が形成されている。発停レバー５０にはスイッチピン５３が立設され、スイッチピン５３はスイッチバネ５４に当接している。スイッチバネ５４のＤ１側端部は地板等に連結されている。スイッチバネ５４のＤ２側端部には、スイッチピン５３と係合する谷部５４ｖと、谷部５４ｖのＤ１側に隣接する山部５４ｍとが形成されている。スイッチバネ５４の谷部５４ｖにスイッチピン５３が係合されると、発停レバー５０は所定位置に保持される。また、スイッチピン５３が谷部５４ｖから外れて山部５４ｍに乗り上げると、スイッチバネ５４の復元力によりスイッチピン５３は谷部５４ｖに案内される。これにより発停レバー５０は、平面視において回動軸５１の左回りに付勢されている。発停レバー５０のＲ２側端部には、伝達レバー４０を押圧する押圧部５８が形成されている。
【００２７】
図２に示すように、ＣＧ機構１０は、リセットレバー７０および発停レバー５０に押圧されて回動する伝達レバー４０を備えている。伝達レバー４０は、リセットレバー７０および発停レバー５０のＲ２側に配置されている。
伝達レバー４０は、中央に回動軸４１を備えている。伝達レバー４０のＲ１側端部には、リセットレバー７０のフォーク部７９によってＤ２側に押し上げられるリフトピン４９が（紙面の裏側に向かって）立設されている。また伝達レバー４０のＲ１側端部には、発停レバー５０の押圧部５８に当接する受け部４８が形成されている。回動軸４１のＲ２側にはスイッチピン４３が立設され、スイッチピン４３はスイッチバネ４４に当接している。スイッチバネ４４のＤ１側端部は地板等に連結されている。スイッチバネ４４のＤ２側端部には、スイッチピン４３に係合する谷部４４ｖと、谷部４４ｖのＤ１側に隣接する山部４４ｍとが形成されている。スイッチバネ４４の谷部４４ｖにスイッチピン４３が係合されると、伝達レバー４０は所定位置に保持される。また、山部４４ｍにおける谷部４４ｖとは反対側の斜面にスイッチピン４３が配置されると、スイッチバネ４４の復元力により伝達レバー４０は回動軸４１の右回りに付勢される。伝達レバー４０のＲ２側端部には、復針レバー３０のガイドピン３９と係合する切欠き部４６が形成されている。
【００２８】
図３は、復針レバー周辺の拡大図である。本実施形態のＣＧ機構は、回動によりハートカム２０を躍制および解放する復針ハンマー２５と、復針ハンマー２５を回動する複数のアーム３３を備えた復針レバー３０と、を備えている。以下、秒ＣＧ表示部１１Ａ、分ＣＧ表示部１１Ｂおよび時ＣＧ表示部１１Ｃの全てに共通となる事項については、秒ＣＧ表示部１１Ａを例にして説明する。
【００２９】
秒復針ハンマー２５Ａは、秒回動軸２６Ａを備えている。秒回動軸２６Ａは、秒ハートカム２０Ａと時ハートカム２０Ｃとの間であって復針レバー３０寄りに配置されている。秒復針ハンマー２５Ａの第１端部は、秒回動軸２６Ａから秒ハートカム２０Ａおよび時ハートカム２０Ｃの方向に長く伸びている。秒復針ハンマー２５Ａの第１端部には、秒ハートカム２０Ａを打撃して躍制面２３と当接する打撃面２８が形成されている。一方、秒復針ハンマー２５Ａの第２端部は、秒回動軸２６Ａから復針レバー３０の方向に短く伸びている。秒復針ハンマー２５Ａの第２端部は、一対の斜面２９Ｒ，２９Ｓを備え、平面視において先細るように形成されている。一対の斜面として、秒ハートカム２０Ａ側に形成された躍制斜面２９Ｒと、時ハートカム２０Ｃ側に形成された解除斜面２９Ｓとが形成されている。
分復針ハンマー２５Ｂおよび時復針ハンマー２５Ｃについても、秒復針ハンマー２５Ａと同様に形成されている。
【００３０】
復針レバー３０は、回動軸３１を有している。回動軸３１は、秒ハートカム２０Ａの秒回転軸２１Ａ、分ハートカム２０Ｂの分回転軸２１Ｂ、および時ハートカム２０Ｃの時回転軸２１Ｃから、等距離となる位置に配置されている。復針レバー３０は、回動軸３１から伝達レバー４０に向かって伸びる復針レバー本体３２を有している。復針レバー本体３２の先端には、伝達レバー４０の切欠き部４６と係合するガイドピン３９が立設されている。また復針レバー３０は、回動軸３１から各復針ハンマー２５に向かって伸びる３本のアーム３３を備えている。
【００３１】
秒アーム３３Ａは、回動軸３１から秒復針ハンマー２５Ａに向かって伸び、中間部において屈曲し、さらに隣の分復針ハンマー２５Ｂに向かって伸びている。秒アーム３３Ａの屈曲部３５は、秒復針ハンマー２５Ａの躍制斜面２９Ｒに当接可能とされている。また秒アーム３３Ａの先端部３７は、隣の分復針ハンマー２５Ｂの解除斜面２９Ｓに当接可能とされている。
分アーム３３Ｂおよび時アーム３３Ｃについても、秒アーム３３Ａと同様に形成されている。ただし、分アーム３３Ｂの先端部３７は、いずれの復針ハンマーの解除斜面にも当接しない。なお、時復針ハンマー２５Ｃの解除斜面２９Ｓには、復針レバー本体３２に形成された凸部３８が当接可能とされている。
【００３２】
（クロノグラフ機構の動作）
前述したように、時間計測の開始時に図２の発停ボタン１６を押すと、ハートカム２０の躍制が解除され、ハートカム２０がＣＧ針とともに回転する。一方、時間計測の停止後にリセットボタン１８を押すと、ハートカム２０が躍制され、ＣＧ針１２が帰零される。これらを実現する本実施形態のＣＧ機構１０の動作について、以下に説明する。
【００３３】
図２は、時間計測の開始前の状態である。発停レバー５０のスイッチピン５３は、スイッチバネ５４の谷部５４ｖに係合している。スイッチバネ５４の復元力によりスイッチピン５３が谷部５４ｖに案内されることで、発停レバー５０は平面視において回動軸５１の左回りに付勢されている。そのため、発停レバー５０の凸部５２は、発停スイッチ６０の押圧板６２に当接している。一方、伝達レバー４０のスイッチピン４３は、スイッチバネ４４の谷部４４ｖから外れ、隣の山部４４ｍを乗り越えて、谷部４４ｖとは反対側の斜面上に配置されている。
【００３４】
図４は、時間計測の開始時に発停ボタン１６を押圧したときの動作説明図である。発停ボタン１６を押すと、発停ボタン１６の先端部が、板バネ６４を介して押圧板６２を押圧する。これにより、発停スイッチ６０は平面視において回動軸６１の左回りに回動する。これに伴って、押圧板６２が発停レバー５０の凸部５２を押圧し、発停レバー５０は平面視において回動軸５１の右回りに回動する。その際、発停レバー５０のスイッチピン５３がスイッチバネ５４の谷部５４ｖから外れ、山部５４ｍに乗り上げるので、発停ボタン１６の押圧時にクリック感が得られる。
【００３５】
発停レバー５０が右回りに回動すると、発停レバー５０のＲ２側端部に形成された押圧部５８が、伝達レバー４０の受け部４８をＤ１方向に押圧する。これにより、伝達レバー４０は平面視において回動軸４１の左回りに回動する。その際、伝達レバー４０のスイッチピン４３がスイッチバネ４４の山部４４ｍを乗り越えて谷部４４ｖに係合し、伝達レバー４０の位置が保持される。なお、スイッチピン４３が山部４４ｍを乗り越える際に、発停ボタン１６の押圧時のクリック感が得られる。また、伝達レバー４０が左回りに回動すると、伝達レバー４０のＲ２側端部に形成された切欠き部４６は、復針レバー３０のガイドピン３９を切欠き部４６から吐き出す方向に案内する。これにより、復針レバー３０が平面視において回動軸３１の右回りに回動する。
【００３６】
図３に示す時間計測の開始前の状態では、復針レバー３０の時アーム３３Ｃの先端部３７が、秒復針ハンマー２５Ａの解除斜面２９Ｓから離間している。時間計測の開始時に、復針レバー３０が右回りに回動すると、時アーム３３Ｃの先端部３７が秒復針ハンマー２５Ａの解除斜面２９Ｓに当接する。さらに、時アーム３３Ｃの先端部３７が秒復針ハンマー２５Ａの解除斜面２９Ｓを押圧すると、秒復針ハンマー２５Ａは平面視において秒回動軸２６Ａの左回りに回動する。これにより、図４に示すように、秒復針ハンマー２５Ａの打撃面２８が秒ハートカム２０Ａの躍制面２３から離れ、秒ハートカム２０Ａの躍制が解除される。その結果、秒ハートカム２０Ａが自由に回転できる状態になり、時間計測が開始される。
【００３７】
図５は、発停ボタン１６の押圧を解除したしたときの動作説明図である。発停ボタン１６の押圧を解除すると、板バネ６４の復元力により発停スイッチ６０は元の位置（図２の位置）に復帰する。また、発停レバー５０のスイッチピン５３がスイッチバネ５４の谷部５４ｖに案内されて再係合するので、発停レバー５０も元の位置に復帰する。ただし、伝達レバー４０のスイッチピン４３がスイッチバネ４４の谷部４４ｖに係合しているので、伝達レバー４０は回動後の位置に保持され、元の位置に復帰しない。その結果、秒ハートカム２０Ａは躍制解除されたままの状態になり、時間計測が継続される。
【００３８】
図６は、時間計測の停止時に発停ボタン１６を押圧したときの動作説明図である。発停ボタン１６を押すと、図４と同様に発停スイッチ６０および発停レバー５０が回動する。その際、図６に示す発停レバー５０のスイッチピン５３がスイッチバネ５４の谷部５４ｖから外れ、山部５４ｍに乗り上げるので、発停ボタン１６の押圧時にクリック感が得られる。一方、伝達レバー４０は回動後の位置に保持されているので、改めて回動しない。時間計測の停止時に発停ボタン１６を押すと、不図示の部分で時計機構からＣＧ機構への動力伝達が遮断され、時間計測が停止される。
【００３９】
また図６は、ＣＧ機構１０のリセット前の状態である。リセットレバー７０は、Ｕ字バネ７３により、平面視において回動軸７１の右回りに付勢されている。そのため、リセットレバー７０の凸部７２は、リセットスイッチ８０の押圧板８２に当接している。
【００４０】
図７は、リセットボタン１８を途中まで押圧したときの動作説明図である。リセットボタン１８を押すと、リセットボタン１８の先端部が、板バネ８４を介して押圧板８２を押圧する。これにより、リセットスイッチ８０は平面視において回動軸８１の右回りに回動する。これに伴って、押圧板８２がリセットレバー７０の凸部７２を押圧し、リセットレバー７０は平面視において回動軸７１の左回りに回動する。
【００４１】
リセットレバー７０が左回りに回動すると、リセットレバー７０のＲ２側端部に形成されたフォーク部７９が、伝達レバー４０のリフトピン４９をＤ２方向に押し上げる。これにより、伝達レバー４０は平面視において回動軸４１の右回りに回動する。その際、伝達レバー４０のスイッチピン４３がスイッチバネ４４の谷部４４ｖから離脱して、隣の山部４４ｍに乗り上げる。また、伝達レバー４０が右回りに回動すると、伝達レバー４０のＲ２側端部に形成された切欠き部４６は、復針レバー３０のガイドピン３９を切欠き部４６に飲み込む方向に案内する。これにより、復針レバー３０が平面視において回動軸３１の左回りに回動する。
【００４２】
復針レバー３０が左回りに回動すると、秒アーム３３Ａの屈曲部３５が秒復針ハンマー２５Ａの躍制斜面２９Ｒに当接する。さらに、秒アーム３３Ａの屈曲部３５が秒復針ハンマー２５Ａの躍制斜面２９Ｒを押圧すると、秒復針ハンマー２５Ａは平面視において秒回動軸２６Ａの右回りに回動する。これにより、図４に示すように、秒復針ハンマー２５Ａの打撃面２８が秒ハートカム２０Ａのカム面２４を打撃する。
【００４３】
図８は、リセットボタン１８を最後まで押圧したときの動作説明図である。リセットボタン１８をさらに押すと、リセットレバー７０が左回りに回動し、伝達レバー４０が右回りに回動する。伝達レバー４０のスイッチピン４３は、スイッチバネ４４の山部４４ｍを乗り越えて、谷部４４ｖとは反対側の斜面上に配置される。また、復針レバー３０が左回りに回動し、秒アーム３３Ａの屈曲部３５が秒復針ハンマー２５Ａの躍制斜面２９Ｒをさらに押圧する。これにより、秒復針ハンマー２５Ａの打撃面２８が秒ハートカム２０Ａのカム面２４を押圧して秒ハートカム２０Ａを強制回転させる。そして、秒復針ハンマー２５Ａの打撃面２８が秒ハートカム２０Ａの躍制面２３に当接したところで、秒ハートカム２０Ａの強制回転が停止する。これにより、秒ハートカム２０Ａが躍制され、図１に示す秒ＣＧ針１２Ａがリセットされる。これと同時に、分ハートカム２０Ｂが躍制され、分ＣＧ針がリセットされる。また、時ハートカム２０Ｃが躍制され、時ＣＧ針がリセットされる。
【００４４】
そして、リセットボタン１８の押圧を解除すれば、図２の状態に戻る。なお、伝達レバー４０のスイッチピン４３は、スイッチバネ４４の復元力により山部４４ｍの斜面を滑り降りる方向に付勢されているので、伝達レバー４０は平面視において回動軸４１の右回りに付勢される。これに伴って、復針レバー３０が左回りに付勢され、秒復針ハンマー２５Ａが右回りに付勢される。その結果、秒復針ハンマー２５Ａが秒ハートカム２０Ａを押圧し続けて、秒ハートカム２０Ａの躍制が維持される。
【００４５】
以上に詳述したように、図３に示す本実施形態のＣＧ機構は、復針ハンマー２５を回動する複数のアーム３３を備えた復針レバー３０を有し、ハートカム２０を躍制する時と、ハートカム２０を躍制解除する時で、異なるアーム３３が復針ハンマー２５を回動する構成とした。例えば復針レバー３０は、秒復針ハンマー２５Ａを回動する秒アーム３３Ａおよび時アーム３３Ｃを有する。そして、秒ハートカム２０Ａを躍制する時には秒アーム３３Ａが秒復針ハンマー２５Ａを回動し、秒ハートカム２０Ａを躍制解除する時には時アーム３３Ｃが秒復針ハンマー２５Ａを回動する。
この構成によれば、復針ハンマー２５とは別に復針レバー３０を備え、復針レバー３０の異なるアーム３３が復針ハンマー２５を回動して、ハートカム２０を躍制および躍制解除する。そのため、１個の可動部材（ハンマー）のみでハートカムを躍制および躍制解除する場合と比べて、可動部材（復針ハンマー２５および復針レバー３０）の移動スペースが小さくなる。したがって、ＣＧ機構の省スペース化を実現できる。これに伴って、小型のムーブメントおよび時計を提供できる。
【００４６】
また本実施形態では、複数のＣＧ表示部１１Ａ，１１Ｂ，１１Ｃに対応して、複数のハートカム２０Ａ，２０Ｂ，２０Ｃ、および複数の復針ハンマー２５Ａ，２５Ｂ，２５Ｃを備え、復針レバー３０の回動軸３１は、複数のハートカム２０Ａ，２０Ｂ，２０Ｃの回転軸２１Ａ，２１Ｂ，２１Ｃから等距離の位置にある構成とした。
この構成によれば、可動部材の移動スペースがさらに小さくなり、ＣＧ機構１０のさらなる省スペース化を実現できる。また、複数の復針ハンマー２５Ａ，２５Ｂ，２５Ｃの共通化が可能になり、製造コストを抑制できる。
【００４７】
ところで、特許文献１に記載されたＣＧ機構では、１個のハンマーで複数のハートカムを躍制するので、製造ばらつきにより各ハートカムの躍制位置がずれることがある。この場合、第１のハートカムが躍制されても、他のハートカムは完全に躍制されない状態になる。そのため、製造ばらつきに起因する各ハートカムの躍制位置の調整が必要になる。
これに対して本実施形態では、複数の復針ハンマー２５Ａ，２５Ｂ，２５Ｃを同時に回動する復針レバー３０の複数のアーム３３Ａ，３３Ｂ，３３Ｃが、弾性変形可能に形成されている構成とした。
この構成によれば、製造ばらつきにより第１のハートカムが先に躍制されても、第１のハートカムを躍制させる第１のアームが弾性変形することで、他のアームにより他のハートカムを確実に躍制できる。したがって、製造ばらつきに起因する躍制位置の調整が不要になり、自動組み立てが可能になる。
【００４８】
また、本実施形態のアーム３３は、回動軸３１側の基端部と先端部３７との間に屈曲部３５を備え、アーム３３の先端部３７および屈曲部３５は、相互に異なる復針ハンマー２５を回動する構成とした。例えば、秒アーム３３Ａの先端部３７は分復針ハンマー２５Ｂを回動し、秒アーム３３Ａの屈曲部３５は秒復針ハンマー２５Ａを回動する。
この構成によれば、アーム３３の先端部３７および屈曲部３５が、それぞれに近接配置された復針ハンマー２５を回動する。したがって、可動部材の移動スペースがさらに小さくなり、ＣＧ機構のさらなる省スペース化を実現できる。
【００４９】
また、本実施形態の復針ハンマー２５は、ハートカム２０を打撃する打撃面２８と、復針レバー３０のアーム３３に当接する当接部とが、回動軸２６を挟んで配置されている構成とした。例えば秒復針ハンマー２５Ａは、秒ハートカム２０Ａを打撃する打撃面２８と、復針レバー３０の秒アーム３３Ａに当接する躍制斜面２９Ｒおよび時アーム３３Ｃに当接する解除斜面２９Ｓとが、秒回動軸２６Ａを挟んで配置されている。
この構成によれば、復針ハンマー２５の回動軸の一方側のみに打撃面と当接部とが配置されている場合と比べて、可動部材の移動スペースが狭くなる。したがって、ＣＧ機構のさらなる省スペース化を実現できる。
【００５０】
なお、本発明の技術範囲は、前記実施形態に限定されるものではなく、本発明の趣旨を逸脱しない範囲において、前記実施形態に種々の変更を加えたものを含む。すなわち、前記実施形態で挙げた具体的な材料や層構成などはほんの一例に過ぎず、適宜変更が可能である。
例えば、図２に示す発停ボタン１６およびリセットボタン１８と復針レバー３０とを連動させる機構については、前記実施形態の機構に限られず、他の機構を採用することも可能である。
【００５１】
また前記実施形態では、図１に示すように、文字板５の中央に秒ＣＧ表示部１１Ａを配置し、１２時の方向に分ＣＧ表示部１１Ｂを配置し、９時の方向に時ＣＧ表示部１１Ｃを配置し、６時の方向に小秒針を含む秒表示部６を配置した。これに加えて、３時の方向に２４時針（２４時間で一周する）を含む２４時表示部を配置して、いわゆる十字配置のムーブメントおよび時計としてもよい。
【００５２】
また、文字板５の中央に秒ＣＧ表示部１１Ａを配置し、１０時の方向に分ＣＧ表示部１１Ｂを配置し、６時の方向に小秒針を含む秒表示部を配置し、２時の方向に２４時針を含む２４時表示部を配置して、いわゆるＹ字配置のムーブメントおよび時計としてもよい。前記実施形態のＣＧ機構はハートカムおよび復針ハンマーを３個ずつ備えていたが、Ｙ字配置のＣＧ機構は時ＣＧ部を含まないので、ハートカムおよび復針ハンマーが２個ずつになる。この場合でも、２個の復針ハンマーを回動する複数のアームを備えた復針レバーを設けることで、本発明を適用することができる。
【符号の説明】
【００５３】
１…時計  ３…ムーブメント  １０…ＣＧ機構（クロノグラフ機構）  １１…ＣＧ表示部（クロノグラフ表示部）  １２…針  ２０…ハートカム  ２１Ａ，２１Ｂ，２１Ｃ…回転軸  ２５…復針ハンマー  ２８…打撃面（打撃部）  ２９Ｒ…躍制斜面（当接部）  ２９Ｓ…解除斜面（当接部）  ３０…復針レバー  ３１…回動軸  ３３…アーム  ３５…屈曲部  ３７…先端部
【図１】
2015172560.tif 000003
【図２】
2015172560.tif 000004
【図３】
2015172560.tif 000005
【図４】
2015172560.tif 000006
【図５】
2015172560.tif 000007
【図６】
2015172560.tif 000008
【図７】
2015172560.tif 000009
【図８】
2015172560.tif 000010